(57)【特許請求の範囲】
【請求項１】
円筒状のシリンダの先端に筒先を設け、後端にフィンガーグリップをシリンダの軸回りに回転可能に嵌着して設けた注射器本体と、前記筒先に取り付けた注射針と、該注射針の外側に装着したプロテクターとを備えた容器兼用注射器 の組立方法において、前記シリンダの内部に薬液を充填する薬液充填工程と、前記筒先に注射針を取り付けた注射器本体のシリンダの後端に、前記シリンダの直径方向から嵌着可能な開口部を有するフィンガーグリップを、前記注射針の刃面と指掛部とのシリンダの周方向における角度位置を任意の状態にして嵌着するグリップ嵌着工程と、前記注射針を取り付けたシリンダをその軸回りに回転させながら、注射針のシリンダの周方向における刃面位置を組立機に設置された刃面検出器により検出する刃面検出工程と、前記シリンダに嵌着されているフィンガーグリップをシリンダに対して相対回転させ、フィンガーグリップの所定位置を前記注射針の刃面位置に合わせる位置合わせ工程とを備えていることを特徴とする容器兼用注射器の組立方法。
【請求項２】
前記位置合わせ工程の後に、前記シリンダの外周部に前記刃面位置を表示するマークをフィンガーグリップの所定位置に合わせて設けるマーク表示工程を備えていることを特徴とする請求項１に記載の容器兼用注射器の組立方法。
【請求項３】
前記マーク表示工程において、予め目盛等が表示されたラベルを前記シリンダの外周部に貼附して前記マークを設けることを特徴とする請求項２に記載の容器兼用注射器の組立方法。
【請求項４】
前記筒先は、先端に前記注射針が装着される取付部を有し、後端を前記シリンダの先端部に嵌着可能に嵌着された円筒状のフロントアッセンブリーからなることを特徴とする請求項１〜３に記載の容器兼用注射器の組立方法。
【請求項５】
前記フロントアッセンブリーの取付部は、注射針の直接接着方式、ルアー・チップ方式、ルアー・ロック方式のいずれかであることを特徴とする請求項４に記載の容器兼用注射器の組立方法。
【請求項６】
前記フロントアッセンブリーに予め前記注射針を覆う透明または半透明のプロテクターが装着され、前記刃面検出工程において注射器の刃面位置が前記プロテクターの外側から検出されることを特徴とする請求項４または５に記載の容器兼用注射器の組立方法。
【請求項７】
円筒状のシリンダの先端に筒先を設け、後端に前記シリンダの直径方向から嵌着可能な開口部を有するフィンガーグリップを設けた注射器本体と、前記筒先に取り付けた注射針と、該注射針の外側に装着したプロテクターとを備えた容器兼用注射器 において、前記注射針の刃面位置と、前記注射器本体のシリンダの外周部に設けた目盛等の位置と、前記フィンガーグリップの所定位置とを、フィンガーグリップをシリンダに対して周方向に回転させることによって、前記シリンダの周方向において一致した状態に位置合わせられてなることを特徴とする容器兼用注射器。
【発明の詳細な説明】
【０００１】
【発明の属する技術分野】
本発明は、注射器本体内に予め薬剤を充填、保管しておき、使用時に包装から取り出して直ぐに使用することができる容器兼用注射器およびその組立方法に関するものである。
【０００２】
【従来の技術】
予め注射針を注射器本体の筒先に組み付けておく容器兼用注射器は、病院内において煩雑な操作をすることなく、包装材料から取り出して直ぐに使用できるので、利便性に優れ、医師や看護婦の作業の軽減に大変に役立ち、このため、多くの病院で前記容器兼用注射器が採用されるようになって来ている。
しかし、従来の容器兼用注射器は、注射器本体に対し注射針が無作為に組み立てられており、注射器本体の後端部に取り付けられているフィンガーグリップの指掛部と、注射器本体の外周部に表示してある目盛や容量を示す数値、文字、医薬品名、その他の重要な表示と、注射針の刃面との三つの要素の、注射器本体の周方向における位置が全く一致していないのが一般的であり、フィンガーグリップの指掛部と前記目盛等の位置と注射針の刃面位置とを自動的に確認して、それらを機械的に一致するようにして容器兼用注射器の組み立てる方法は行われていないのが現状である。
【０００３】
特に、注射器本体の筒先が、ねじを使用したルアー・ロック方式（注射中に注射針が注射器本体から不意に抜けたりしない構造）になっているものにあっては、注射針を前記筒先にねじ込んで組み立てた際、ねじによって一定の締付力で固定されたところが取付位置であって、該取付位置は注射針を注射器本体に対しその周方向に一定の位置関係を強制的に設定して固定した位置ではないので、注射針の刃面位置を注射器本体のフィンガーグリップの指掛部、目盛等の位置に対応させて微妙に調整して、それらの位置を一致させることはできない。
【０００４】
【発明が解決しようとする課題】
したがって、病医院では、容器兼用注射器を使用する直前に注射針の刃面を、フィンガーグリップの指掛部や目盛等に合わせてから使用することが習慣となっていたり、また、そのように指導されているため、医師や看護婦は、前記のように刃面と指掛部、目盛等とが一致していない容器兼用注射器にあっては使用直前に、注射器本体に組み付けられている注射針を一旦注射器本体の筒先から取り外す方向に回して、注射針を覆うプロテクター（ガード）の外側から注射針の刃面の向きを確認し、その刃面をフィンガーグリップの指掛部、目盛等の位置に合わせてから、再度注射針を注射器本体の筒先に固く固定し直してから使用する必要がある。このことは、容器兼用注射器の利便性や安全性を著しく損なうものであり、その改善が強く望まれていた。
【０００５】
特に、注射器本体の筒先が、前記ルアー・ロック方式になっているものにあっては、ねじの位置と、筒先のテーパ筒部（ルアー・チップ）と、注射針の針もとの太さとの三者の関係から組み付けられた注射針の刃面の位置は、何処を向いて固定されるか判らず、自由に調整することはできないため、刃面の向きが前記目盛等とは異なる方向を向いていても、また、フィンガーグリップ（フランジまたは鍔）の指掛部の位置と合わなくても、そのまま注射する不便を容認しなければならない。また、時には、筒先がルアー・ロック方式であることも忘れて無理に注射針の刃面と注射器本体の目盛等との位置合わせを行うなどの操作をしてしまう危険性があった。
【０００６】
その際、注射針の刃面位置を目盛等の位置に合わせようとして注射針を無理に回転させて、針もとやルアー・ロック方式の筒先のねじを損傷させてしまったり、また、注射針をねじの締め付け方向と逆方向に回転させて刃面を目盛等に合わせようとしたために、注射針と注射器本体の筒先との固定が緩んでしまい、筒先と針もととの間から薬液が漏れてしまう等の危険性があるなど、注射の準備操作が煩雑になる問題があった。
【０００７】
本発明は、上記事情に鑑みてなされたものであって、注射針の刃面と注射器本体に表示された目盛等、フィンガーグリップの平滑面、指掛部等との、注射器本体の周方向における位置を正確に一致させて、利便性、安全性を高めた容器兼用注射器およびこれを容易に組み付けることができる容器兼用注射器の組立方法を提供することを目的とする。
【０００８】
【課題を解決するための手段】
本発明は、前記課題を解決するために、以下の点を特徴としている。すなわち、請求項１に係る容器兼用注射器の組立方法は、円筒状のシリンダの先端に筒先を設け、後端にフィンガーグリップをシリンダの軸回りに回転可能に嵌着して設けた注射器本体と、前記筒先に取り付けた注射針と、該注射針の外側に装着したプロテクターとを備えた容器兼用注射器 の組立方法において、前記シリンダの内部に薬液を充填する薬液充填工程と、前記筒先に注射針を取り付けた注射器本体のシリンダの後端に、前記シリンダの直径方向から嵌着可能な開口部を有するフィンガーグリップを、前記注射針の刃面と指掛部とのシリンダの周方向における角度位置を任意の状態にして嵌着するグリップ嵌着工程と、前記注射針を取り付けたシリンダをその軸回りに回転させながら、注射針のシリンダの周方向における刃面位置を組立機に設置された刃面検出器により検出する刃面検出工程と、前記シリンダに嵌着されているフィンガーグリップをシリンダに対して相対回転させ、フィンガーグリップの所定位置を前記注射針の刃面位置に合わせる位置合わせ工程とを備えていることを特徴とする
【０００９】
前記容器兼用注射器の組立方法においては、注射器本体のシリンダ内に薬液が充填された容器兼用注射器が容易に得られるとともに、このように薬液を充填してプランジャロッドを組み立て後にグリップ嵌着工程でフィンガーグリップを組み立てることが可能となる。
また、上記のようなグリップ嵌着工程で、フィンガーグリップが予め注射針を筒先に取り付けた注射器本体のシリンダの後端に任意に嵌着され、次に、刃面検出工程で、前記注射針を取り付けたシリンダがその軸回りに回転されながら、注射針のシリンダの周方向における刃面位置が組立機に設置された刃面検出器により検出される。その後に、位置合わせ工程で、前記シリンダに嵌着されている前記フィンガーグリップがシリンダに対して相対回転され、フィンガーグリップの所定位置を前記注射針の刃面位置に合わせられ、これにより、注射針の刃面位置とフィンガーグリップの所定位置とがシリンダの周方向に一致された状態で容器兼用注射器が組み立てられる。
【００１０】
この容器兼用注射器の組立方法によれば、注射針の刃面位置を検出して、その位置と注射器本体に嵌着されたフィンガーグリップの所定位置とが直接に位置合わせられて容器兼用注射器の組立ができるので、注射針の刃面位置と注射器本体のフィンガーグリップの指掛部または平滑面等の所定位置とが注射器本体の周方向において正確に揃えられ、したがって、病医院において注射直前に医師や看護婦が注射針の位置もしくはフィンガーグリップの位置を修正しなくてもよく、安心して使用できる容器兼用注射器が提供される。
【００１１】
請求項２に係る容器兼用注射器の組立方法は、請求項１に記載の組立方法において、位置合わせ工程の後に、シリンダの外周部に前記刃面位置を表示するマークをフィンガーグリップの所定位置に合わせて設けるマーク表示工程を備えていることを特徴とする。
この容器兼用注射器の組立方法によれば、マーク表示工程で注射針の刃面位置を表示するマークがフィンガーグリップの所定位置に合わせられるので、注射針の刃面、前記マーク、フィンガーグリップの三つの重要な要素の位置が一致され、このため、マークとフィンガーグリップの所定位置とによって容易に注射針の刃面位置を確認できて、一層安心して使用できる容器兼用注射器が提供される。
【００１２】
請求項３に係る容器兼用注射器の組立方法は、請求項２に記載の組立方法において、マーク表示工程において、予め目盛等が表示されたラベルをシリンダの外周部に貼附して前記マークを設けることを特徴とする。
この容器兼用注射器の組立方法によれば、組立機の中に印刷装置を設けることなく、注射針の位置を表示するマークとしての目盛等が容易、迅速に注射器本体に設けられる。
【００１５】
請求項４に係る容器兼用注射器の組立方法は、請求項１〜３に記載の組立方法において、筒先は、先端に注射針が装着される取付部を有し、後端をシリンダの先端部に嵌着可能に嵌着された円筒状のフロントアッセンブリーからなることを特徴とする。
請求項５に係る容器兼用注射器の組立方法は、請求項４に記載の組立方法において、フロントアッセンブリーの取付部は、注射針の直接接着方式、ルアー・チップ方式、ルアー・ロック方式のいずれかであることを特徴とする。
【００１６】
請求項４と請求項５に係る容器兼用注射器の組立方法によれば、シリンダに嵌着される形式のフロントアッセンブリーによって注射針を注射器本体に組み付ける容器兼用注射器、特に、フロントアッセンブリーに直接接着方式、ルアー・チップ方式、ルアー・ロック方式の取付部により取り付けられた注射針を有する容器兼用注射器に対して、重要な要素の位置を正確に一致させた組立が確実、容易に実現される。
【００１７】
請求項６に係る容器兼用注射器の組立方法は、請求項４または５に記載の組立方法において、フロントアッセンブリーに予め注射針を覆う透明または半透明のプロテクターが装着され、刃面検出工程において注射器の刃面位置が前記プロテクターの外側から検出されることを特徴とする。
この容器兼用注射器の組立方法によれば、前記プロテクターを装着したままでその外周側から注射針の刃面位置を検出することができるので、フロントアッセンブリーはこれに注射針をプロテクターで保護して取り付けた注射針アッセンブリーとして取り扱えて、注射針に損傷が生じるようなことがなく、安全、確実に組み立て作業が行われる。
【００１８】
請求項７に係る容器兼用注射器は、円筒状のシリンダの先端に筒先を設け、後端に前記シリンダの直径方向から嵌着可能な開口部を有するフィンガーグリップを設けた注射器本体と、前記筒先に取り付けた注射針と、該注射針の外側に装着したプロテクターとを備えた容器兼用注射器 において、前記注射針の刃面位置と、前記注射器本体のシリンダの外周部に設けた目盛等の位置と、前記フィンガーグリップの所定位置とを、フィンガーグリップをシリンダに対して周方向に回転させることによって、前記シリンダの周方向において一致した状態に位置合わせられてなることを特徴とする。
この容器兼用注射器によれば、薬液を充填してプランジャロッドを組み立て後であってもフィンガーグリップを嵌着することが可能となる。また、病医院で医師や看護婦が、容器兼用注射器を使用する直前に注射針の刃面位置を確認し、必要に応じてフィンガーグリップの指掛部や目盛等を前記刃面位置に合わせるといった位置修正等の準備操作をせずに、安心して能率的に注射をすることができる。
【００１９】
【発明の実施の形態】
先ず、本発明の実施の形態に係る容器兼用注射器の組立方法を適用して組み立てる容器兼用注射器について図１〜図７にもとづいて説明する。
図１〜図３は、針管接着方式の容器兼用注射器１を示す。
この容器兼用注射器１は、円筒状のシリンダ２の先端に筒先３を一体に成型して設け、後端にフィンガーグリップ４を設けた注射器本体５と、該注射器本体５の筒先３に針管の基端部を直接接着して取り付けられている注射針６と、前記筒先３のテーパ筒部（取付部）３ａに外周部に開口部７ａを装着して注射針６を覆うラバーシースからなるプロテクター（ガード）７とで構成されている。該プロテクター７をラバーシースに代えて、全体もしくは注射針６の針先６ｔの周囲に相当する部分を透明にした合成樹脂材料で形成し、前記針先６ｔを液密に密封する構成とすることができる。このようにすると、後述のようにプロテクター７で覆ったままでその外側から内側の注射針６の刃面６ａを刃面検出器で容易に検出できる。
【００２０】
前記フィンガーグリップ４は、円筒部４ａの後端部に、図３（Ａ）に示すような正面視が略矩形状のフランジ４ｂを一体に結合して構成され、前記円筒部４ａがシリンダ２の後端にシリンダ２の軸回りに回転可能に、かつ軸方向に嵌着可能に装着されている。また、フィンガーグリップ４は、弾力があり高温による滅菌が可能な材質の合成樹脂からなり、そのシリンダ２への嵌着部に細いリブ等が設けられ、適度な摩擦の付与により嵌着力を高められており、フィンガーグリップ４が注射器本体５から不用意に脱落しないようになっている。
【００２１】
また、フィンガーグリップは、前記フィンガーグリップ４に代えて、図３（Ｂ）に示すように、正面視で、フランジ４ｂの一方の平滑面４ｄ側において、外側が広くなるように傾斜され、内側が円筒部４ａの内径より僅かに小さく形成した開口部４ｆが、フランジ４ｂと円筒部４ａとにそれらの軸方向に沿って設けられた構成のフィンガーグリップ４Ａとすることができる。このフィンガーグリップ４Ａでは、注射器本体５の組立に際して、前記シリンダ２へその軸方向からも嵌着できるが、前記開口部４ｆを通してシリンダ２にその直径方向から容易に着脱自在に嵌着することができる。
【００２２】
前記フィンガーグリップ４，４Ａのシリンダ２の周方向における嵌着位置は、フランジ４ｂにおける一対の指掛部４ｃ、４ｃの方向に対して直角な方向にある平滑面４ｄ、４ｄの一方の位置（フィンガーグリップ４，４Ａにおける所定位置）が、前記注射針６の刃面６ａのシリンダ２の周方向における位置（刃面位置）と位相が一致する角度位置（注射針６の刃面６ａとフィンガーグリップ４，４ａとが所定の角度位置になるよう）に設定されている。
なお、前記フランジ４ｂの中心穴部は、前記シリンダ２の内径より僅かに小さく形成されている。
【００２３】
前記シリンダ２の外周部には、図２に示すように、目盛や容量を示す数値、文字、医薬品名、その他の重要な表示（以下、これらの少なくとも１つを「目盛等」という）８が、直接、印刷もしくは刻設により設けられている。前記目盛等８の注射器本体５の周方向における設定位置は、前記注射針６の刃面位置に一致され（位相が合わせられ）ている。
したがって、前記注射針６の刃面６ａと目盛等８とフィンガーグリップ４の平滑面４ｄとの三つの重要な要素が、前記注射針本体５の周方向において一致させられている。
【００２４】
なお、前記目盛等８は、医師または看護婦の指示によって逆にフィンガーグリップ４，４Ａの指掛け部４ｃ，４ｃの一方の位置（フィンガーグリップ４，４Ａにおける所定位置）に合わせて設ける場合もある。この場合は、前記指掛け部４ｃの位置に注射針６の刃面位置が合わせられ、注射針６の刃面６ａと目盛等８とフィンガーグリップ４の指掛部４ｃとの三つの重要な要素が、前記注射針本体５の周方向において一致させられる。
【００２５】
前記目盛等８は、前記に代えて、図４（Ａ）に示すように、予め前記目盛等８が印刷されているラベル９をシリンダ２の外周部に貼附して注射器本体５に設けるようにしてもよく、また、図４（Ｂ）に示すように、一部の目盛等８ａをシリンダ２に設けておき、さらに、透明なシートに残部の目盛等８ｂが印刷されているラベル９ａを、前記一部の目盛等８ａが見えるようにして、前記シリンダ２の外周部に貼附して設けたものでもよい。
【００２６】
前記目盛等８や指掛部４ｃは、注射針６の刃面位置に合わせられているので、該刃面位置を示すマーク８Ａとしての機能を果たしているが、このようなマーク８Ａとして、フィンガーグリップ４，４Ａの形状を工夫したり、フィンガーグリップ４，４ａの適宜の見易い個所に、ホット・スタンプや印刷、型による彫込み等の目印８ｃを付加すると、一層注射針６の刃面位置を確認し易くすることができる。
【００２７】
次に、図５は、針管直接接着方式（デュファー方式）の容器兼用注射器１Ａを示す。
この容器兼用注射器１Ａは、前記容器兼用注射器１において注射器本体５の筒先３がシリンダ２に一体に形成されているのに対して、前記注射針６の針管を直接接着したテーパ筒部（取付部）３ａを先端に設けた円筒状のフロントアッセンブリー（筒先）３Ａを、シリンダ２ａの先端に嵌着可能に、かつ、シリンダ２ａの軸回りに回転可能に嵌着して注射器本体５Ａが構成され、前記テーパ筒部３ａに注射針６を覆うキャップ型のプロテクター７Ａを装着したものである。該プロテクター７Ａは透明または半透明な合成樹脂材料で作製され、外側から内部の注射針６の針先６ｔが見えるようになっている。
【００２８】
そして、前記フロントアッセンブリー３Ａは、後端側のシリンダ２ａへの嵌着部１０ａとテーパ筒部３ａとの間に、シリンダ２ａの先端側に挿入したゴム製のフロントストッパーＳが前進移動されたときに該フロントストッパーＳを受け入れる室１０ｂが設けられ、該室１０ｂの内周部と底部にはシリンダ２ａ内の薬液をテーパ筒部３ａ側に通す縦溝１０ｃ、横溝１０ｄがそれぞれ形成されている。その他の構成は、前記容器兼用注射器１と同一になっており、同一の構成の部分については同一の符号を付して重複する説明は省略する。
【００２９】
次に、図６は、注射針取付方式（ルアー・チップ方式）の容器兼用注射器１Ｂを示す。
この容器兼用注射器１Ｂは、前記容器兼用注射器１Ａにおいて、フロントアッセンブリー３Ａのテーパ筒部３ａに直接注射針６が固着されているのに対して、フロントアッセンブリー３Ｂのテーパ筒部３ａがルアー・チップ式の取付部となっており、該取付部に針もと６ｂを介して着脱可能に注射針６を装着し、前記針もと６ｂの外側に、注射針６を覆う前記プロテクター７Ａと同様なキャップ型のプロテクター７Ｂを装着したものである。その他の構成は、前記容器兼用注射器１Ａと同一になっており、同一の構成の部分については同一の符号を付して重複する説明は省略する。
【００３０】
また、図７は、注射針取付方式（ルアー・ロック方式）の容器兼用注射器１Ｃを示す。
この容器兼用注射器１Ｃは、前記容器兼用注射器１Ｂのルアー・チップ方式の取付部を有するフロントアッセンブリー３Ｂに代えて、ルアー・ロック方式の取付部を有するフロントアッセンブリー（筒先）３Ｃを使用したものである。その他の構成は、前記容器兼用注射器１Ｂと同一になっており、同一の構成の部分については同一の符号を付して重複する説明は省略する。
前記フロントアッセンブリー３Ｃは、前記フロントアッセンブリー３Ｂにおけるルアー・チップ方式の取付部であるテーパ筒部３ａの外周側に間隔をあけてルアー・ロック１０ｅを設けたもので、前記注射針６の針もと６ｂの後端の外周突起６ｃが、ルアー・ロック１０ｅの内周のネジ部１０ｆに係合されている。これにより、使用中に針もと６ｂが緩んで注射針６が注射器本体５Ｃから不用意に外れることがない。
【００３１】
前記容器兼用注射器１，１Ａ，１Ｂ，１Ｃによれば、注射針６の刃面６ａの位置と、注射器本体５，５Ａ，５Ｂ，５Ｃの目盛等８の位置と、フィンガーグリップ４，４Ａの平滑面４ｄまたは指掛部４ｃの三者の位置が、注射器本体５，５Ａ，５Ｂ，５Ｃの周方向において正しく一致されているので、病医院では、医師や看護婦が、容器兼用注射器１，１Ａ，１Ｂ，１Ｃを使用する直前に注射針６の刃面位置を確認し、必要に応じてフィンガーグリップ４，４Ａの指掛部４ｃや目盛等８のマークの所定位置を刃面位置に合わせるといった位置修正等の準備操作をせずに、安心して能率的に注射をすることができる。
【００３２】
次に、本発明の実施の形態に係る容器兼用注射器の組立方法について図８にもとづいて説明する。
先ず、第１の実施の形態に係る容器兼用注射器の組立方法を適用して前記容器兼用注射器１を組み立てるには、図８（Ａ）に示すように、準備工程１２において、予め適宜装着装置により前記注射針６を筒先３に直接接着して前記注射器本体５が用意される。次に、グリップ嵌着工程１３において、準備工程１２で用意された注射器本体５を組立機に搬入して、該組立機のグリップ取付部で、フィンガーグリップ４がその指掛部４ｃまたは平滑面４ｄのシリンダ２の周方向における組付け位置（角度位置）を任意の状態にして該シリンダ２に嵌着される。
【００３３】
次に、刃面検出工程１４において、組立機の位置整合部で、回転機構によりシリンダ２がその軸回りに低速で回転される。このとき、前記位置整合部でシリンダ２の外側に直径方向の中心側に検出部を向けて設けられているＸ線カメラやＣＣＤカメラ、レーザー光線等を使用した検出装置（刃面検出器）によって、前記注射針６の針先６ｔが監視され、注射針６の周方向における刃面６ａの位置（刃面位置）が検出されると、シリンダ２の回転が直ちに停止される。シリンダ２の回転が停止されると、前記組立機に取り付けてある治具がシリンダ２を保持し、該シリンダ２の周方向における前記停止位置（刃面位置）への位置決めをする。
【００３４】
この状態で、位置合わせ工程１５において、組立機のグリップ回転装置がその係合部を回転させながら降下してきてフィンガーグリップ４に係合され、該フィンガーグリップ４がシリンダ２の周方向にそれらの間の嵌合摩擦に抗して低速でシリンダ２に対してスリップする状態で相対回転される。その際、平滑面４ｄまたは指掛部４ｃが前記刃面検出器と同様な位置検出器でシリンダ２の周方向の位置を検出され、その検出位置が前記刃面位置と一致したときに、グリップ回転装置がその係合部の回転を停止してフィンガーグリップ４から離間される。
【００３５】
前記刃面検出器と位置検出器とのシリンダ２の周方向における設置位置（設置位相）を同一にしておけば、位置検出器がフィンガーグリップ４の平滑面４ｄまたは指掛部４ｃを検出した回転位置で、注射針６の刃面位置と前記平滑面４ｄまたは指掛部４ｃの位置（所定位置）がシリンダ２の周方向において一致した（刃面６ａとフィンガーグリップ４とが所定の角度位置に組み付けられた）ことになる。そして、フィンガーグリップ４は摩擦力を介してシリンダ２に嵌着された状態で前記角度位置を保持している。
【００３６】
しかる後に、薬液充填工程１６において、注射針６の刃面６ａとフィンガーグリップ４とが所定の角度位置に組み付けられた注射器本体５がガード装着機に送られ、プロテクター７であるラバーシースを注射針６の上から被せられて、その針先６ｔがラバーシースの内側の先端側に突き刺されて密封され、これにより、シリンダ２内に充填された薬液が針先６ｔから漏れないようにシールされる（ガード装着操作）。
次に、薬液充填装置により、シリンダ２内にフィンガーグリップ４側から薬液が所定量だけ充填され（薬液充填操作）、その充填後に、ストッパー装着部でシリンダ２の後端部側に後側のゴム製のエンドストッパーが挿入され（エンドストッパー挿入操作）、薬液の充填作業が完了される。
【００３７】
この後、マーク表示工程１７において、フィンガーグリップ４の所定の角度位置が前記刃面検出器と同様な位置検出器により検出されて、注射針６の刃面６ａの位置を確認され、その角度位置に停止したシリンダ２の外周部における前記角度位置に対面する部分に、目盛等８を印刷したラベル９がラベル貼附機によって貼附される（ラベル貼附操作）。前記シリンダ２にラベル９を貼附する代わりに、ホットスタンプ、レーザマーカー等の適宜の表示手段を用いて、シリンダ２の外周に直接印刷もしくは刻設により設けてもよい。さらに、前記目盛等８に付加して注射針６の刃面位置を表す他のマークを設けてもよい。
【００３８】
前記実施の形態に係る容器兼用注射器の組立方法によれば、注射針６の刃面６ａとフィンガーグリップ４の平滑面４ｄまたは指掛部４ｃの三つの重要な要素が、前記シリンダ２の周方向において正確に一致されてシリンダ２の軸方向に一直線状に揃えられ薬液の充填された容器兼用注射器１が組み立てられる。したがって、病医院において注射直前に医師や看護婦が注射針６の刃面位置もしくはフィンガーグリップ４の位置を修正しなくてもよく、安心して使用できる容器兼用注射器１が提供される。
【００３９】
次に、第２の実施の形態に係る容器兼用注射器の組立方法を適用して前記容器兼用注射器１Ａを組み立てるには、図８（Ｂ）に示すように、準備工程１２Ａにおいて、予め、組立機の適宜装着装置で注射針６を先端のテーパ筒部３ａに直接接着したフロントアッセンブリー（筒先）３Ａが用意される（準備操作１２Ａａ）と共に、前記テーパ筒部３ａにプロテクター７Ａを装着して注射針６を保護した注射針アッセンブリー１１Ａを組み付けられる（プロテクター装着操作１２Ａｂ）。そして、前記注射器アッセンブリー１１Ａをシリンダ２ａの先端に嵌着する（アッセンブリー取付操作１２Ａｃ）。
【００４０】
以下は、前記グリップ嵌着工程１３、刃面検出工程１４、位置合わせ工程１５が行われた後に、薬液充填工程１６Ａ、マーク表示工程１７が順次に行われて容器兼用注射器１Ａの組立が完了される。
前記薬液充填工程１６Ａにおいては、最初に、ストッパー装着部で、前記注射器アッセンブリー１１Ａを先端に嵌着したシリンダ２ａ内の先端側に、ゴム製のフロントストッパーを挿入して、シリンダ２ａの先端部をシールして（フロントストッパー挿入操作）から薬液を充填する。
【００４１】
次に、第３の実施の形態に係る容器兼用注射器の組立方法を適用して前記容器兼用注射器１Ｂ，１Ｃを組み立てるには、図８（Ｃ）に示すように、準備工程１２Ｂにおいて、予め、組立機の適宜装着装置で、注射針６をその針もと６ｂを介してテーパ筒部３ａに装着したフロントアッセンブリー（筒先）３Ｂ、または、注射針６をその針もと６ｃを介してテーパ筒部３ａとルアー・ロック１０ｅに装着したフロントアッセンブリー（筒先）３Ｃが用意される（準備操作１２Ｂａ）と共に、前記テーパ筒部３ａにプロテクター７Ａ，７Ｂを装着して注射針６を保護した注射針アッセンブリー１１Ａまたは注射針アッセンブリー１１Ｂが組み付けられる（プロテクター装着操作１２Ｂｂ）。そして、前記注射器アッセンブリー１１Ａまたは注射器アッセンブリー１１Ｂがシリンダ２ａの先端に嵌着される（アッセンブリー取付操作１２Ｂｃ）。
以下は、前記第２の実施形態の方法と同様に、前記グリップ嵌着工程１３、刃面検出工程１３、位置合わせ工程１５、薬液充填工程１６Ａ、マーク表示工程１７が順次に行われて容器兼用注射器１Ｂが組み立てが完了される。
【００４２】
前記第２、第３の実施の形態に係る容器兼用注射器１Ａ，１Ｂ，１Ｃの組立方法によれば、前記第１の実施の形態の容器兼用注射器１の組立方法と同様な作用効果が奏される他に、シリンダ２ａに嵌着される形式のフロントアッセンブリー３Ａ，３Ｂ，３Ｃによって注射針６を注射器本体５Ａ，５Ｂ，５Ｃに組み付ける容器兼用注射器１Ａ，１Ｂ，１Ｃ、特に、フロントアッセンブリーに直接接着方式、ルアー・チップ方式、ルアー・ロック方式の取付部により取り付けられた注射針６を有する容器兼用注射器に対して、重要な要素の位置を正確に一致させた組立が確実、容易に実現される。
【００４３】
しかも、前記プロテクター７Ａ，７Ｂ，７Ｃを装着したままでその外周側から注射針６の刃面位置を検出することができるので、フロントアッセンブリー３Ａ，３Ｂ，３Ｃはこれに注射針６をプロテクター７Ａ，７Ｂ，７Ｃで保護して取り付けた注射針アッセンブリー１１Ａ，１１Ｂ，１１Ｃとして取り扱えて、注射針６に損傷が生じるようなことがなく、安全、確実に組み立て作業が行われる。
【００４４】
次に、第４の実施の形態に係る容器兼用注射器の組立方法を適用して前記容器兼用注射器１Ａ，１Ｂ，１Ｃにフィンガーグリップ４Ａを用いて組み立てるには、図８（Ｄ）に示すように、準備工程１２Ｃにおいて、前記準備工程１２Ａまたは準備工程１２Ｂと同様な操作１２Ｃａ，１２Ｃｂ，１２Ｃｃが行われ、プロテクター７Ａ，７Ｂ，７Ｃで覆った注射針６をテーパ筒部３ａに装着した前記フロントアッセンブリー３Ａ，３Ｂ，３Ｃをシリンダ２ａに組み付けて注射器本体５Ａ，５Ｂ，５Ｃが用意される。そして、前記第２、第３の実施の形態の方法における薬液充填工程１６Ａを行った後に、順次、グリップ嵌着工程１３Ａ、前記刃面検出工程１３、位置合わせ工程１５、マーク表示工程１７が行われて容器兼用注射器１Ｂが組み立てが完了される。
【００４５】
前記グリップ嵌着工程１３Ａは、第２、第３の実施の形態の方法においてフィンガーグリップ４が前記注射器本体５Ａ，５Ｂ，５Ｃのシリンダ２ａにその軸方向から嵌着されるのに対して、前記フィンガーグリップ４Ａが前記シリンダ２ａにその直径方向から嵌着される点で相違しているが、その他の点は第２、第３の実施の形態の方法と同一である。
この実施の形態に係る容器兼用注射器の組立方法によれば、組立工程の都合により、注射器本体５Ａ，５Ｂ，５Ｃのシリンダ２ａ内に薬液を充填してから、プランジャロッドを組み立て、その後に、フィンガーグリップ４Ａを組み付けることができ、融通性のある組立工程を構成することができる。
【００４６】
なお、前記第１、第２、第３の実施の形態に係る容器兼用注射器の組立方法においては、薬液充填工程１６，１６Ａ，１６Ｂを行った後にマーク表示工程１７を行うようにしているが、これに限らず、その順序を逆に行ってもよく、薬液充填工程１６，１６Ａ，１６Ｂを組立工程から切り離して別に行ってもよい。また、第４の実施の形態に係る容器兼用注射器の組立方法において、薬液充填工程１６をマーク表示工程１７の後に行ったり、組立工程から切り離して別に行ってもよい。
【００４７】
【発明の効果】
以上説明したように、本発明によれば以下の優れた効果を奏する。
請求項１に係る容器兼用注射器の組立方法によれば、注射針の刃面位置を検出して、その位置と注射器本体に嵌着されたフィンガーグリップの所定位置とを直接に位置合わせして容器兼用注射器の組立ができるので、注射針の刃面位置と注射器本体のフィンガーグリップの指掛部または平滑面等の所定位置とを注射器本体の周方向において正確に揃えることができる。
したがって、病医院において注射直前に医師や看護婦が注射針の位置もしくはフィンガーグリップの位置を修正しなくてもよく、安心して使用できる容器兼用注射器を提供することができる。
【００４８】
請求項２に係る容器兼用注射器の組立方法によれば、マーク表示工程で注射針の刃面位置を表示するマークをフィンガーグリップの所定位置に合わせることができるので、注射針の刃面、前記マーク、フィンガーグリップの三つの重要な要素の位置を一致させることができる。
このため、マークとフィンガーグリップの所定位置とによって容易に注射針の刃面位置を確認することができて、一層安心して使用できる容器兼用注射器を提供することができる。
【００４９】
請求項３に係る容器兼用注射器の組立方法によれば、組立機の中に印刷装置を設けることなく、注射針の位置を表示するマークとしての目盛等を容易、迅速に注射器本体に設けることができる。
請求項４に係る容器兼用注射器の組立方法によれば、注射器本体のシリンダ内に薬液が充填された容器兼用注射器を容易に得ることができる。
請求項５に係る容器兼用注射器の組立方法によれば、組立工程の都合により、注射器本体のシリンダ内に薬液を充填して、プランジャロッドを組み立てた後に、フィンガーグリップを組み立てることができて、融通性のある組立工程を構成することができる。
【００５０】
請求項６と請求項７に係る容器兼用注射器の組立方法によれば、シリンダに嵌着される形式のフロントアッセンブリーによって注射針を注射器本体に組み付ける容器兼用注射器、特に、フロントアッセンブリーに直接接着方式、ルアー・チップ方式、ルアー・ロック方式の取付部により取り付けられた注射針を有する容器兼用注射器に対して、重要な要素の位置を一致させた組立方法を確実、容易に実現することができる。
【００５１】
請求項８に係る容器兼用注射器の組立方法によれば、プロテクターを装着したままでその外周側から注射針の刃面位置を検出することができるので、フロントアッセンブリーは注射針をプロテクターで保護して取り付けた注射針アッセンブリーとして取り扱うことができ、注射針に損傷を生じさせることなく、安全、確実に組み立て作業を行うことができる。
【００５２】
請求項９に係る容器兼用注射器によれば、注射針の刃面の位置と、注射器本体の目盛等の位置と、フィンガーグリップの平滑面または指掛部との三者の位置が、注射器本体の周方向において正しく一致されて注射器本体の軸方向に一直線状に揃えられているので、病医院で医師や看護婦が、容器兼用注射器を使用する直前に注射針の刃面位置を確認し、必要に応じてフィンガーグリップの指掛部や目盛等を前記刃面位置に合わせるといった位置修正等の準備操作をせずに、安心して能率的に注射をすることができる。
【図面の簡単な説明】
【図１】  本発明に係る容器兼用注射器の第１の実施の形態を示す縦断面図である。
【図２】  同じく一部を断面で示した平面図である。
【図３】  図２のイ矢視におけるフィンガーグリップ形状を示す図である。
【図４】  注射器本体の目盛等の構成例を示す平面図である。
【図５】  本発明に係る容器兼用注射器の第２の実施の形態を示す縦断面図である。
【図６】  同じく第３の実施の形態を示す縦断面図である。
【図７】  同じく第４の実施の形態を示す縦断面図である。
【図８】  本発明に係る容器兼用注射器の組立方法の実施の形態を示す組立工程図である。
【符号の説明】
１，１Ａ，１Ｂ，１Ｃ  容器兼用注射器    ２，２ａ  シリンダ
３  筒先
３Ａ，３Ｂ，３Ｃ  フロントアッセンブリー（筒先）
３ａ  テーパ筒部（取付部）              ４，４Ａ  フィンガーグリップ
４ｃ  指掛部                            ４ｄ  平滑面
５，５Ａ，５Ｂ，５Ｃ  注射器本体        ６  注射針
６ａ  刃面                              ６ｂ  針もと
７，７Ａ，７Ｂ  プロテクター（ガード）  ８，８ａ，８ｂ  目盛等
８Ａ  マーク                            ９，９ａ  ラベル
１１Ａ，１１Ｂ，１１Ｃ  注射針アッセンブリー
１２，１２Ａ，１２Ｂ，１２Ｃ  準備工程  １３  グリップ嵌着工程
１４  刃面検出工程                      １５  位置合わせ工程
１６，１６Ａ  薬液充填工程              １７  マーク表示工程
【図１】
0004095253.tif 000002
【図２】
0004095253.tif 000003
【図３】
0004095253.tif 000004
【図４】
0004095253.tif 000005
【図５】
0004095253.tif 000006
【図６】
0004095253.tif 000007
【図７】
0004095253.tif 000008
【図８】
0004095253.tif 000009
0004095253.tif 000010